(57)【要約】【課題】  撮影音の出力レベルを検出し、前記検出された出力レベルが予め設定された基準レベル以上になる撮影音のみを適用することにより、撮影音の不正使用を防止し得る移動通信端末機の撮影音認証装置及びその方法を提供する。【解決手段】  移動通信端末機の撮影音認証装置は、ＳＰ（Service Provider）サーバーに保存された撮影音のうち使用者により選択された撮影音の出力レベルと予め設定された基準レベルとを比較し、前記比較結果による制御信号を出力する制御部と、前記制御信号に基づいて前記選択された撮影音をダウンロードするか否かを決定する撮影音決定部とを含む。【選択図】  図１
2006087095.tif 000002
【特許請求の範囲】
【請求項１】
ＳＰ（ServiceProvider）サーバーに保存された撮影音のうち使用者により選択された撮影音の出力レベルと予め設定された基準レベルとを比較し、前記比較結果による制御信号を出力する制御部と、
前記制御信号に基づいて前記選択された撮影音をダウンロードするか否かを決定する撮影音決定部と
を含むことを特徴とする移動通信端末機の撮影音認証装置。
【請求項２】
前記選択された撮影音の出力レベルを検出する撮影音検出部をさらに含むことを特徴とする請求項１に記載の移動通信端末機の撮影音認証装置。
【請求項３】
少なくとも１つ以上の撮影音を保存する撮影音保存部をさらに含むことを特徴とする請求項１に記載の移動通信端末機の撮影音認証装置。
【請求項４】
前記ＳＰサーバーに保存された撮影音は、
出力レベルを示すヘッダ領域を含むことを特徴とする請求項１に記載の移動通信端末機の撮影音認証装置。
【請求項５】
前記予め設定された出力レベルは、
６５ｄＢ以上であることを特徴とする請求項１に記載の移動通信端末機の撮影音認証装置。
【請求項６】
前記制御部は、
前記選択された撮影音の出力レベルが予め設定された基準レベル以上の場合、前記選択された撮影音をダウンロードすることを特徴とする請求項１に記載の移動通信端末機の撮影音認証装置。
【請求項７】
撮影音出力部から出力された撮影音の出力レベルと予め設定された基準レベルとを比較し、前記比較結果による制御信号を出力する制御部と、
前記制御信号に基づいて前記撮影音の出力レベルを前記予め設定された基準レベルまで増幅する撮影音増幅部と
を含むことを特徴とする移動通信端末機の撮影音認証装置。
【請求項８】
前記出力された撮影音の出力レベルを検出する撮影音検出部をさらに含むことを特徴とする請求項７に記載の移動通信端末機の撮影音認証装置。
【請求項９】
少なくとも１つ以上の撮影音を保存する撮影音保存部をさらに含むことを特徴とする請求項７に記載の移動通信端末機の撮影音認証装置。
【請求項１０】
前記予め設定された出力レベルは、
６５ｄＢ以上であることを特徴とする請求項７に記載の移動通信端末機の撮影音認証装置。
【請求項１１】
前記制御部は、
前記出力された撮影音の出力レベルが予め設定された基準レベルより小さい場合、前記出力された撮影音の出力レベルを前記予め設定された基準レベルまで増幅することを特徴とする請求項７に記載の移動通信端末機の撮影音認証装置。
【請求項１２】
ＳＰサーバーに保存された撮影音のうち使用者により選択された撮影音の出力レベルと予め設定された基準レベルとを比較する段階と、
前記比較結果に基づいて前記選択された撮影音をダウンロードするか否かを決定する段階と
を含むことを特徴とする移動通信端末機の撮影音認証方法。
【請求項１３】
前記比較する段階は、
前記選択された撮影音の出力レベルを検出する段階と、
前記検出された撮影音の出力レベルと前記予め設定された基準レベルとを比較する段階とを含むことを特徴とする請求項１２に記載の移動通信端末機の撮影音認証方法。
【請求項１４】
前記ＳＰサーバーに保存された撮影音は、
出力レベルを示すヘッダ領域を含むことを特徴とする請求項１２に記載の移動通信端末機の撮影音認証方法。
【請求項１５】
前記予め設定された出力レベルは、
６５ｄＢ以上であることを特徴とする請求項１２に記載の移動通信端末機の撮影音認証方法。
【請求項１６】
前記決定する段階は、
前記選択された撮影音の出力レベルが前記予め設定された基準レベル以上の場合、前記選択された撮影音のダウンロードを決定することを特徴とする請求項１２に記載の移動通信端末機の撮影音認証方法。
【請求項１７】
前記決定する段階は、
前記選択された撮影音の出力レベルが前記予め設定された基準レベルより小さい場合、前記選択された撮影音をダウンロードしないことを特徴とする請求項１６に記載の移動通信端末機の撮影音認証方法。
【請求項１８】
撮影音出力部から出力された撮影音の出力レベルと予め設定された基準レベルとを比較する段階と、
前記比較結果に基づいて前記出力された撮影音の出力レベルを前記予め設定された基準レベルまで増幅する段階と
を含むことを特徴とする移動通信端末機の撮影音認証方法。
【請求項１９】
前記比較する段階は、
前記出力された撮影音の出力レベルを検出する段階と、
前記検出された撮影音の出力レベルと前記予め設定された基準レベルとを比較する段階とを含むことを特徴とする請求項１８に記載の移動通信端末機の撮影音認証方法。
【請求項２０】
前記予め設定された出力レベルは、
６５ｄＢ以上であることを特徴とする請求項１８に記載の移動通信端末機の撮影音認証方法。
【請求項２１】
前記増幅する段階は、
前記検出された撮影音の出力レベルが前記予め設定された基準レベルより小さい場合、前記出力された撮影音の出力レベルを前記予め設定された基準レベルまで増幅することを特徴とする請求項１８に記載の移動通信端末機の撮影音認証方法。
【請求項２２】
前記増幅された撮影音の出力レベルを使用するか否かを確認する段階と、
前記確認結果に基づいて前記増幅された撮影音の出力レベルを前記予め設定された撮影音の出力レベルとして決定する段階とをさらに含むことを特徴とする請求項１８に記載の移動通信端末機の撮影音認証方法。
【請求項２３】
前記増幅された撮影音の出力レベルを使用しないと、撮影された被写体映像を保存せずに前記出力された撮影音の出力レベルを使用した撮影を終了することを特徴とする請求項２２に記載の移動通信端末機の撮影音認証方法。
【請求項２４】
前記増幅された撮影音の出力レベルを使用すると、撮影された被写体映像を保存せずに前記増幅された撮影音の出力レベルを前記予め設定された撮影音の出力レベルとして決定することを特徴とする請求項２３に記載の移動通信端末機の撮影音認証方法。
【発明の詳細な説明】
【技術分野】
【０００１】
本発明は、移動通信端末機に関し、特に、撮影音の不正使用を防止し得る移動通信端末機の撮影音認証装置及びその方法に関する。
【背景技術】
【０００２】
最近の移動通信端末機は、機能が進歩するにつれて、単なる無線通信手段を越えてカメラ機能、マルチメディア再生機能のように無線通信以外の機能が付加されてきている。このようなカメラ機能及びマルチメディア再生機能は、移動通信端末機のディスプレイ装置の改善と高速通信の実現により、次第に大衆化している高級機能であり、高解像度のデジタルカメラとカラーＬＣＤ画面を備えた移動通信端末機は既に一般化している。
【０００３】
前記移動通信端末機のカラーＬＣＤの画面にＭＰＥＧ−４コーデック（Coder and Decoder: Codec）によりデコーディングされたストリーミング（Streaming）映像データやカメラから入力される映像データが表示される。特に、前記カメラを利用して被写体を撮影するときに撮影音やフラッシュが適用される移動通信端末機の開発が活発に行われている。
【０００４】
既存のカメラ付きの移動通信端末機は、いつでもどこでも撮影可能であるということにより、プライバシー侵害の問題があったが、前記移動通信端末機は、前記カメラを利用して被写体を撮影する瞬間に前記撮影を第三者に認知可能にする撮影音やフラッシュを発生することにより、他人のプライバシー侵害を防止し得る。以下、このような従来技術に係る移動通信端末機の撮影音発生装置について説明する。
【０００５】
図５は、従来技術に係る移動通信端末機の撮影音発生装置を示すブロック図である。
【０００６】
図５に示すように、従来技術に係る移動通信端末機は、複数の撮影音を保存する撮影音保存部６００と、前記保存された撮影音のうち予め設定された撮影音を選択する制御部２００と、前記選択された撮影音を出力する撮影音出力部５００とを含む。
【０００７】
以下、このような従来技術に係る移動通信端末機の撮影音発生方法を説明する。
【０００８】
図６は、従来技術に係る移動通信端末機の撮影音発生方法を示すフローチャートである。
【０００９】
図６に示すように、従来技術に係る移動通信端末機の撮影音発生方法は、被写体を撮影する瞬間であるか否かを判断する段階（Ｓ２１０）と、前記被写体を撮影する瞬間であると、使用者が予め設定された撮影音を選択する段階（Ｓ２２０）と、前記選択された撮影音を出力する段階（Ｓ２３０）とを含む。
【００１０】
以下、このような従来技術に係る移動通信端末機の撮影音発生方法について詳細に説明する。
【００１１】
まず、前記移動通信端末機は、カメラを利用して被写体の静止映像を撮影するとき、撮影音保存部６００に保存されている少なくとも１つ以上の撮影音のうち使用者により予め設定された撮影音を出力するが、このような撮影音は、ＳＰ（Service Provider）サーバーからダウンロードされる。
【００１２】
さらに、前記移動通信端末機が前記被写体を撮影するときに前記予め設定された撮影音や前記フラッシュを発生するように、使用者は、撮影音保存部６００に保存された撮影音のうちいずれか１つの撮影音やフラッシュを使用するか否かを予め設定しておく。
【００１３】
その後、制御部２００は、前記被写体を撮影する瞬間を判断する（Ｓ２１０）。すなわち、制御部２００は、ＣＰＵ（Central Processing Unit）１００から被写体を撮影する瞬間を通知する信号を受信し、前記受信された信号に基づいて前記被写体を撮影する瞬間を判断する。
【００１４】
結局、制御部２００は、前記被写体を撮影する瞬間であるときに撮影音保存部６００に保存された複数の撮影音のうち使用者により予め設定された撮影音を選択することにより（Ｓ２２０）、前記撮影された被写体映像をディスプレイ部４００に表示すると同時に前記選択された撮影音を撮影音出力部５００（例えば、スピーカー）から出力できると共に、発光素子によりフラッシュを使用することもできる（Ｓ２３０）。
【００１５】
しかしながら、従来技術に係る移動通信端末機の撮影音発生装置及びその方法は、使用者により予め設定された撮影音やフレッシュを発生するため、マナーモード又は無音の撮影音を選択するなどの不正使用を防止し得ないという問題があった。
【発明の開示】
【発明が解決しようとする課題】
【００１６】
本発明の目的は、撮影音の出力レベルを検出し、前記検出された出力レベルが予め設定された基準レベル以上になる撮影音のみを適用することにより、撮影音の不正使用を防止し得る移動通信端末機の撮影音認証装置及びその方法を提供することにある。
【課題を解決するための手段】
【００１７】
このような目的を達成するために、本発明に係る移動通信端末機の撮影音認証装置は、ＳＰ（Service Provider）サーバーに保存された撮影音のうち使用者により選択された撮影音の出力レベルと予め設定された基準レベルとを比較し、前記比較結果による制御信号を出力する制御部と、前記制御信号に基づいて前記選択された撮影音をダウンロードするか否かを決定する撮影音決定部とを含むことを特徴とする。
【００１８】
また、本発明に係る移動通信端末機の撮影音認証装置は、撮影音出力部から出力された撮影音の出力レベルと予め設定された基準レベルとを比較し、前記比較結果による制御信号を出力する制御部と、前記制御信号に基づいて前記撮影音の出力レベルを前記予め設定された基準レベルまで増幅する撮影音増幅部とを含むことを特徴とする。
【００１９】
前記目的を達成するために、本発明に係る移動通信端末機の撮影音認証方法は、ＳＰサーバーに保存された撮影音のうち使用者により選択された撮影音の出力レベルと予め設定された基準レベルとを比較する段階と、前記比較結果に基づいて前記選択された撮影音をダウンロードするか否かを決定する段階とを含むことを特徴とする。
【００２０】
また、本発明に係る移動通信端末機の撮影音認証方法は、撮影音出力部から出力された撮影音の出力レベルと予め設定された基準レベルとを比較する段階と、前記比較結果に基づいて前記出力された撮影音の出力レベルを前記予め設定された基準レベルまで増幅する段階とを含むことを特徴とする。
【００２１】
上記目的を達成するために、本発明は、例えば、以下の手段を提供する。
（項目１）
ＳＰ（ServiceProvider）サーバーに保存された撮影音のうち使用者により選択された撮影音の出力レベルと予め設定された基準レベルとを比較し、前記比較結果による制御信号を出力する制御部と、
前記制御信号に基づいて前記選択された撮影音をダウンロードするか否かを決定する撮影音決定部と
を含むことを特徴とする移動通信端末機の撮影音認証装置。
（項目２）
前記選択された撮影音の出力レベルを検出する撮影音検出部をさらに含むことを特徴とする項目１に記載の移動通信端末機の撮影音認証装置。
（項目３）
少なくとも１つ以上の撮影音を保存する撮影音保存部をさらに含むことを特徴とする項目１に記載の移動通信端末機の撮影音認証装置。
（項目４）
前記ＳＰサーバーに保存された撮影音は、
出力レベルを示すヘッダ領域を含むことを特徴とする項目１に記載の移動通信端末機の撮影音認証装置。
（項目５）
前記予め設定された出力レベルは、
６５ｄＢ以上であることを特徴とする項目１に記載の移動通信端末機の撮影音認証装置。
（項目６）
前記制御部は、
前記選択された撮影音の出力レベルが予め設定された基準レベル以上の場合、前記選択された撮影音をダウンロードすることを特徴とする項目１に記載の移動通信端末機の撮影音認証装置。
（項目７）
撮影音出力部から出力された撮影音の出力レベルと予め設定された基準レベルとを比較し、前記比較結果による制御信号を出力する制御部と、
前記制御信号に基づいて前記撮影音の出力レベルを前記予め設定された基準レベルまで増幅する撮影音増幅部と
を含むことを特徴とする移動通信端末機の撮影音認証装置。
（項目８）
前記出力された撮影音の出力レベルを検出する撮影音検出部をさらに含むことを特徴とする項目７に記載の移動通信端末機の撮影音認証装置。
（項目９）
少なくとも１つ以上の撮影音を保存する撮影音保存部をさらに含むことを特徴とする項目７に記載の移動通信端末機の撮影音認証装置。
（項目１０）
前記予め設定された出力レベルは、
６５ｄＢ以上であることを特徴とする項目７に記載の移動通信端末機の撮影音認証装置。
（項目１１）
前記制御部は、
前記出力された撮影音の出力レベルが予め設定された基準レベルより小さい場合、前記出力された撮影音の出力レベルを前記予め設定された基準レベルまで増幅することを特徴とする項目７に記載の移動通信端末機の撮影音認証装置。
（項目１２）
ＳＰサーバーに保存された撮影音のうち使用者により選択された撮影音の出力レベルと予め設定された基準レベルとを比較する段階と、
前記比較結果に基づいて前記選択された撮影音をダウンロードするか否かを決定する段階と
を含むことを特徴とする移動通信端末機の撮影音認証方法。
（項目１３）
前記比較する段階は、
前記選択された撮影音の出力レベルを検出する段階と、
前記検出された撮影音の出力レベルと前記予め設定された基準レベルとを比較する段階とを含むことを特徴とする項目１２に記載の移動通信端末機の撮影音認証方法。
（項目１４）
前記ＳＰサーバーに保存された撮影音は、
出力レベルを示すヘッダ領域を含むことを特徴とする項目１２に記載の移動通信端末機の撮影音認証方法。
（項目１５）
前記予め設定された出力レベルは、
６５ｄＢ以上であることを特徴とする項目１２に記載の移動通信端末機の撮影音認証方法。
（項目１６）
前記決定する段階は、
前記選択された撮影音の出力レベルが前記予め設定された基準レベル以上の場合、前記選択された撮影音のダウンロードを決定することを特徴とする項目１２に記載の移動通信端末機の撮影音認証方法。
（項目１７）
前記決定する段階は、
前記選択された撮影音の出力レベルが前記予め設定された基準レベルより小さい場合、前記選択された撮影音をダウンロードしないことを特徴とする項目１６に記載の移動通信端末機の撮影音認証方法。
（項目１８）
撮影音出力部から出力された撮影音の出力レベルと予め設定された基準レベルとを比較する段階と、
前記比較結果に基づいて前記出力された撮影音の出力レベルを前記予め設定された基準レベルまで増幅する段階と
を含むことを特徴とする移動通信端末機の撮影音認証方法。
（項目１９）
前記比較する段階は、
前記出力された撮影音の出力レベルを検出する段階と、
前記検出された撮影音の出力レベルと前記予め設定された基準レベルとを比較する段階とを含むことを特徴とする項目１８に記載の移動通信端末機の撮影音認証方法。
（項目２０）
前記予め設定された出力レベルは、
６５ｄＢ以上であることを特徴とする項目１８に記載の移動通信端末機の撮影音認証方法。
（項目２１）
前記増幅する段階は、
前記検出された撮影音の出力レベルが前記予め設定された基準レベルより小さい場合、前記出力された撮影音の出力レベルを前記予め設定された基準レベルまで増幅することを特徴とする項目１８に記載の移動通信端末機の撮影音認証方法。
（項目２２）
前記増幅された撮影音の出力レベルを使用するか否かを確認する段階と、
前記確認結果に基づいて前記増幅された撮影音の出力レベルを前記予め設定された撮影音の出力レベルとして決定する段階とをさらに含むことを特徴とする項目１８に記載の移動通信端末機の撮影音認証方法。
（項目２３）
前記増幅された撮影音の出力レベルを使用しないと、撮影された被写体映像を保存せずに前記出力された撮影音の出力レベルを使用した撮影を終了することを特徴とする項目２２に記載の移動通信端末機の撮影音認証方法。
（項目２４）
前記増幅された撮影音の出力レベルを使用すると、撮影された被写体映像を保存せずに前記増幅された撮影音の出力レベルを前記予め設定された撮影音の出力レベルとして決定することを特徴とする項目２３に記載の移動通信端末機の撮影音認証方法。
【発明の効果】
【００２２】
本発明に係る移動通信端末機の撮影音認証装置及びその方法は、撮影音の出力レベルを検出し、前記検出された出力レベルが予め設定された基準レベル以上になる撮影音を適用することにより、撮影音の不正使用を防止し得るという効果がある。
【発明を実施するための最良の形態】
【００２３】
以下、図面に基づいて、撮影音の出力レベルを検出し、前記検出された出力レベルが予め設定された基準レベル以上になる撮影音のみを適用することにより、撮影音の不正使用を防止し得る本発明に係る移動通信端末機の撮影音認証装置及びその方法の実施形態について説明する。
【００２４】
図１は、本発明に係る移動通信端末機の撮影音認証装置の第１実施形態を示すブロック図である。
【００２５】
図１に示すように、本発明に係る移動通信端末機の撮影音認証装置の第１実施形態は、使用者により選択された撮影音の出力レベルと予め設定された基準レベルとを比較し、該比較結果による制御信号を出力する制御部２００と、前記制御信号に基づいて前記撮影音を認証する撮影音認証部３００と、前記認証された撮影音を保存する撮影音保存部６００とを含む。
【００２６】
ここで、撮影音認証部３００は、前記選択された撮影音の出力レベルを検出し、前記検出された出力レベルを出力する撮影音検出部３１０と、前記制御信号によって前記入力された撮影音をダウンロードするか否かを決定する撮影音決定部３２０とから構成される。
【００２７】
以下、このように構成された本発明に係る移動通信端末機の撮影音認証方法について説明する。
【００２８】
図２は、本発明に係る移動通信端末機の撮影音認証方法の第１実施形態を示すフローチャートである。
【００２９】
図２に示すように、本発明に係る移動通信端末機の撮影音認証方法の第１実施形態は、ＳＰサーバーに保存された撮影音のうちいずれか１つを選択する段階（Ｓ４１０）と、前記選択された撮影音の出力レベルを検出する段階（Ｓ４２０）と、前記検出された出力レベルと予め設定された基準レベルとを比較する段階（Ｓ４３０）と、前記検出された出力レベルが前記予め設定された基準レベル以上の場合、前記選択された撮影音をダウンロードする段階（Ｓ４４０）とを含む。ここで、前記移動通信端末機は、前記検出された出力レベルが前記予め設定された基準レベルより小さいと、前記選択された撮影音をダウンロードせずにダウンロードしない理由を通知する警告メッセージを表示する（Ｓ４５０）。
【００３０】
以下、このような本発明に係る移動通信端末機の撮影音認証方法の第１実施形態を詳細に説明する。
【００３１】
まず、前記移動通信端末機は、カメラを利用して被写体の静止映像を撮影するとき、撮影音保存部６００に保存された少なくとも１つ以上の撮影音のうち使用者により予め設定された撮影音を出力するが、このような撮影音は、ＳＰサーバーからダウンロードされる。
【００３２】
前記移動通信端末機は、前記ＳＰサーバーに接続することにより、前記ＳＰサーバーに保存された撮影音のうち使用者の選択によりいずれか１つの撮影音が選択される（Ｓ４１０）。ここで、前記ＳＰサーバーに保存された撮影音は、前記撮影音の出力レベルを示す予め設定されたヘッダ領域を有するが、例えば、次の表１のように３ビットで定義される。
（表１）
【００３３】
【表１】
2006087095.tif 000003
前記移動通信端末機は、前記予め設定された撮影音のヘッダ領域から前記選択された１つの撮影音の出力レベルを検出する（Ｓ４２０）。すなわち、前記移動通信端末機は、前記選択された撮影音のヘッダ領域のみを受信することにより、撮影音出力部２１０が前記受信された撮影音のヘッダ領域から前記撮影音の出力レベルを検出し、前記検出された出力レベルを制御部２００に出力する。
【００３４】
制御部２００は、前記検出された出力レベルと予め設定された基準レベルとを比較し（Ｓ４３０）、前記比較結果を撮影音決定部３２０に出力する。ここで、前記予め設定された出力レベルは６５ｄＢ以上に設定することが好ましい。
【００３５】
その後、撮影音決定部３２０は、前記比較結果に基づいて前記選択された撮影音をダウンロードするか否かを決定し、制御部２００は、前記決定結果に基づいて前記選択された撮影音をダウンロードする（Ｓ４４０）。すなわち、制御部２００は、前記検出された出力レベルが前記予め設定された基準レベル以上の場合、前記選択された撮影音をダウンロードし、前記検出された出力レベルが前記予め設定された基準レベルより小さい場合、前記選択された撮影音をダウンロードせずにダウンロードしない理由を通知する警告メッセージをディスプレイ部４００に表示する（Ｓ４５０）。
【００３６】
結局、前記移動通信端末機は、前記ＳＰサーバーに保存された撮影音をダウンロードするとき、前記撮影音の出力レベルを検出し、前記検出された出力レベルを前記予め設定された出力レベルと比較することにより、前記予め設定された基準レベル以上の出力レベルを有する撮影音のみをダウンロードすることができる。
【００３７】
このようにダウンロードされた撮影音は、撮影音保存部６００に保存されるが、前記保存された撮影音は、前記カメラを利用して被写体を撮影するとき、使用者の選択により出力される。
【００３８】
以下、本発明に係る移動通信端末機の撮影音認証装置の第２実施形態について説明する。
【００３９】
図３は、本発明に係る移動通信端末機の撮影音認証装置の第２実施形態を示すブロック図である。
【００４０】
図３に示すように、本発明に係る移動通信端末機の撮影音認証装置の第２実施形態は、静止映像を撮影するとき、出力された撮影音の出力レベルと予め設定された基準レベルとを比較し、前記比較結果による制御信号を出力する制御部２００と、前記制御信号に基づいて前記撮影音を認証する撮影音認証部３００と、前記認証結果を通知するメッセージを表示するディスプレイ部４００と、前記認証された撮影音を使用者の選択により保存する撮影音保存部６００とを含む。
【００４１】
ここで、撮影音認証部３００は、前記予め設定された撮影音の出力レベルを検出し、前記検出された出力レベルを出力する撮影音検出部３１０と、前記制御信号によって前記入力された撮影音の出力レベルを増幅する撮影音増幅部３３０とから構成される。
【００４２】
このように構成された本発明に係る移動通信端末機の撮影音認証方法の第２実施形態について説明する。
【００４３】
図４は、本発明に係る移動通信端末機の撮影音認証方法の第２実施形態を示すフローチャートである。
【００４４】
図４に示すように、本発明に係る移動通信端末機の撮影音認証方法の第２実施形態は、静止映像を撮影するとき、予め設定された撮影音を出力する段階（Ｓ６１０）と、前記出力された撮影音の出力レベルを検出する段階（Ｓ６２０）と、前記検出された出力レベルと予め設定された基準レベルとを比較する段階（Ｓ６３０）と、前記検出された出力レベルが前記予め設定された基準レベルより小さい場合、前記出力された撮影音の出力レベルを増幅する段階（Ｓ６４０）と、前記増幅された撮影音の出力レベルを使用するか否かを確認する段階（Ｓ６５０）と、前記確認結果によって前記増幅された撮影音の出力レベルを前記予め設定された撮影音の出力レベルとして決定する段階（Ｓ６６０）とを含む。
【００４５】
以下、このような本発明に係る移動通信端末機の撮影音認証方法の第２実施形態を詳細に説明する。
【００４６】
まず、前記移動通信端末機は、カメラを利用して被写体の静止映像を撮影するとき、撮影音保存部６００に保存された少なくとも１つ以上の撮影音のうち使用者により予め設定された撮影音を出力する（Ｓ６１０）。
【００４７】
撮影音検出部３１０は、音の大きさを感知する装置であり、前記出力された撮影音を受信し、前記受信された撮影音の出力レベルを検出する（Ｓ６２０）。
【００４８】
制御部２００は、前記検出された撮影音の出力レベルを受信し、前記受信された撮影音の出力レベルと予め設定された基準レベルとを比較し、前記比較結果を出力する（Ｓ６３０）。
【００４９】
撮影音増幅部３３０は、前記比較結果に基づいて前記受信された撮影音の出力レベルを前記予め設定された基準レベルまで増幅する（Ｓ６４０）。すなわち、撮影音増幅部３３０は、前記受信された撮影音の出力レベルが前記予め設定された基準レベル以上の場合、前記撮影された静止映像を保存し、前記受信された撮影音の出力レベルが前記予め設定された基準レベルより小さい場合、前記受信された撮影音の出力レベルを前記予め設定された出力レベルまで増幅する。
【００５０】
その後、制御部２００は、前記増幅された出力レベルを有する撮影音を使用した撮影を続けるか否かを使用者に確認する（Ｓ６５０）。すなわち、制御部２００は、前記増幅された出力レベルを有する撮影音を使用した撮影を続けるか否かを確認するメッセージをディスプレイ部４００に表示し、前記増幅された出力レベルを有する撮影音を使用した撮影でなければ、前記撮影された静止映像を保存せずに撮影を終了する。
【００５１】
反面、制御部２００は、前記増幅された出力レベルを有する撮影音を使用した撮影であれば、前記撮影された静止映像を保存せずに前記増幅された出力レベルを前記予め設定された撮影音の出力レベルとして決定する（Ｓ６６０）。すなわち、前記移動通信端末機は、前記増幅された出力レベルを使用した撮影をすることにより、前記撮影音の出力レベルが増幅された後、前記撮影された静止映像を保存することができる。
【００５２】
結局、前記移動通信端末機は、前記検出された撮影音の出力レベルが前記予め設定された出力レベルより小さい場合、前記検出された撮影音の出力レベルを前記予め設定された出力レベルまで増幅することにより、前記増幅された出力レベルを有する撮影音を出力する。
【００５３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００５４】
撮影音の出力レベルを検出し、前記検出された出力レベルが予め設定された基準レベル以上になる撮影音のみを適用することにより、撮影音の不正使用を防止し得る移動通信端末機の撮影音認証装置及びその方法を提供する。
【００５５】
移動通信端末機の撮影音認証装置は、ＳＰ（Service Provider）サーバーに保存された撮影音のうち使用者により選択された撮影音の出力レベルと予め設定された基準レベルとを比較し、前記比較結果による制御信号を出力する制御部と、前記制御信号に基づいて前記選択された撮影音をダウンロードするか否かを決定する撮影音決定部とを含む。
【図面の簡単な説明】
【００５６】
【図１】本発明に係る移動通信端末機の撮影音認証装置の第１実施形態を示すブロック図である。
【図２】本発明に係る移動通信端末機の撮影音認証方法の第１実施形態を示すフローチャートである。
【図３】本発明に係る移動通信端末機の撮影音認証装置の第２実施形態を示すブロック図である。
【図４】本発明に係る移動通信端末機の撮影音認証方法の第２実施形態を示すフローチャートである。
【図５】従来技術に係る移動通信端末機の撮影音発生装置を示すブロック図である。
【図６】従来技術に係る移動通信端末機の撮影音を発生する方法を示すフローチャートである。
【符号の説明】
【００５７】
１００：ＣＰＵ（CentralProcessing Unit）
２００：制御部
３００：撮影音認証部
３１０：撮影音検出部
３２０：撮影音決定部
３３０：撮影音増幅部
４００：ディスプレイ部
５００：撮影音出力部
６００：撮影音保存部
【図１】
2006087095.tif 000004
【図２】
2006087095.tif 000005
【図３】
2006087095.tif 000006
【図４】
2006087095.tif 000007
【図５】
2006087095.tif 000008
【図６】
2006087095.tif 000009